(57)【要約】【課題】簡便な構成で、高い放熱効率を有しながら気温の急激な変化による弊害を防止できる電気装置収納箱体の放熱構造を提供する。【解決手段】本体１と外気とは外壁３により仕切られ、また緩衝室４が設けられていることで、簡便な構造により大量の空気を取り込み且つ排出して放熱効率を高めることができる。また取り込まれる空気Ａ１と排出される空気Ａ３とを僅かに混ぜることで、外気温が急激に変化しても取り込まれる空気温が急激に変化することがなく、結露等の弊害が生じるのを防止できる。【選択図】図２
2004253443.tif 000002
【特許請求の範囲】
【請求項１】
電気装置が収納され且つ密閉された本体と、本体と外気とを仕切る外壁の一側面に緩衝室が設けられ、該緩衝室には外気に通じる空気の取込口と排出口が穿設され、前記取込口には下方に開口されたカバーが設けられ、前記取込口から緩衝室内に取り込まれる空気に、前記排出口から排出された空気が僅かに混ぜられることを特徴とする電気装置収納箱体の放熱構造。
【発明の詳細な説明】
【０００１】
【発明の属する技術分野】
本発明は、主に太陽光が直射する屋外に設置され、電気装置を収納した箱体の放熱構造に関するものである。
【０００２】
【従来の技術】
電気装置は、とりわけ屋外に設置される場合には太陽光の直射により外気温より箱体内部の空気温がはるかに高くなり、電気装置に悪影響を及ぼす恐れがあることから、従来外気に通じる通路を設けて空気の入れ替えを行うことでかかる空気温の上昇を抑制する方法が取られてきたが、外気に通じる通路から雨や水蒸気が侵入し、その水分によりまた電気装置に悪影響が及ぼされる恐れがある。
【０００３】
その対策として、例えば特許文献１には、複数の電池部品を実装した電子制御装置を収納する本体ケースに、放熱フィンを付けた電子制御装置の収納ケースが開示されている。
【０００４】
また特許文献２には、密閉されたケース内に電池部品を実装した回路基板を収納するとともに、前記ケースにケース内外を連通する通気口を形成した電子機器であって、前記通気口に、ケース外部から侵入する空気中の水蒸気を結露させ捕獲する金属製のフィルタ材が配置された電子機器が開示されている。
【０００５】
【特許文献１】
特開平１１−３０７９６８号公報
【０００６】
【特許文献２】
特開２００２−３３５０９０号公報
【０００７】
【発明が解決しようとする課題】
しかしながら、特許文献１に示される如き放熱構造では、放熱フィンが外部に曝されていることから、放熱フィンに太陽光が当たることで却って箱体内部の空気温が上昇する恐れがある。また外気温が急激に変化した場合、内部で結露などが起こる恐れがある。
【０００８】
また特許文献２に示される如き電子機器では、金属製のフィルタ材を設ける必要があり、太陽光が直射する過酷な条件下で大量の空気を入れ替えようとすればフィルタの面積を拡大する必要があり種々の弊害が生じる。また金属フィルタの詰まりにより冷却効率が低下する恐れがある。
【０００９】
本発明は上記の如き問題点に鑑みてなされたものであり、簡便な構成で、高い放熱効率を有しながら気温の急激な変化による弊害を防止できる電気装置収納箱体の放熱構造を提供せんとするものである。
【００１０】
【課題を解決するための手段】
上記課題を解決するため、本発明は以下のような構成としている。すなわち、本発明に係わる電気装置収納箱体の放熱構造は、電気装置が収納され且つ密閉された本体と、本体と外気とを仕切る外壁の一側面に緩衝室が設けられ、該緩衝室には外気に通じる空気の取込口と排出口が穿設され、前記取込口には下方に開口されたカバーが設けられ、前記取込口から緩衝室内に取り込まれる空気に、前記排出口から排出された空気が僅かに混ぜられることを特徴とするものである。
【００１１】
本発明によれば、本体と外気とは外壁により仕切られ、また緩衝室が設けられていることで、簡便な構造により大量の空気を取り込み且つ排出して放熱効率を高めることができる。また取り込まれる空気と排出される空気とを僅かに混ぜることで、外気温が急激に変化しても取り込まれる空気温が急激に変化することがなく、結露等の弊害が生じるのを防止できる。
【００１２】
【発明の実施の形態】
本発明の実施の形態について、図面に基づき以下に具体的に説明する。
図１及び図２は本発明に係わる実施の一形態を示すもので、図１は電気装置収納箱体を示す斜視図、図２は図１のＡ−Ａ断面図である。図１において、電気装置収納箱体１０は本体１の上面に、太陽Ｓからの太陽光Ｓを遮る遮熱板１１が設けられているが、特に電気装置収納箱体１０が暗色系の色調となされていれば、夏場の暑い時期において外気温が３５〜４０℃となると、特に放熱構造が設けられていなければ電気装置収納箱体１０の内気温は５０〜６０℃になる場合もある。かかる高温下において、電気装置で熱に弱いものは故障が起こる恐れが生じる。
【００１３】
図２において、電気装置２が収納された本体１は、その一側面の外壁３に緩衝室４が設けられ、緩衝室４には外気に通じる空気の取込口５と排出口６が穿設され、取込口５及び排出口６を覆うように外覆壁８が設けられている。取込口５から取り込まれた空気Ａ１が緩衝室４内を通過する空気Ａ２となり、緩衝室４内から熱を奪って排出口６から排出されることで外壁３が冷却され、以て本体１の内気温は低下する。
【００１４】
排出口６から排出された空気Ａ３は、外覆壁８と緩衝室４との間の空間Ｋを通過して取込口５に設けられ下方に開口されたカバー７の周囲に導かれるようになされている。空間Ｋから外気へ通じる通孔Ｋ１がカバー７と隣接されて設けられていることで、取込口５から緩衝室４内に取り込まれる空気Ａ１に排出口６から排出された空気Ａ３が僅かに混ぜられる。
【００１５】
かかる構造により冬期における直射日光に曝される昼間から夕方に急激に気温が低下する場合などにおいて、電気装置収納箱体１０の内気温を急激に低下させることがなく、電気装置収納箱体１０の内面や電気装置２における結露の発生を防ぎ、結露による金属部の腐食や絶縁破壊等の弊害を防止できる。
【００１６】
図３は、図１におけるＡ−Ａ断面の、他の実施形態を示す断面図である。排出口６にファンＦを設けておけば、空気Ａ１〜Ａ３の流量を増加させ、放熱効率を高めることができ好ましい。また外壁３の外面に放熱フィン３１を設けておけば、放熱に係わる表面積を増加させて更に放熱効率を高めることができ好ましい。
【００１７】
また下方に開口されたカバー７は、図４に示す如き構造としてもよい。イ）は外覆壁８の一部破面図であり、ロ）はそのＢ−Ｂ矢視図である。イ）において、緩衝室４に通じる取込口５に設けられたカバー７は、上端が両屋根状となされ下端に向けてその幅がスカート状に拡大されているものである。両屋根状の上端は本図における尖らせたものでもよいが、曲線としたものでもよい。かかる形状のカバー７により、ロ）に示す如く排出口６から排出され空間Ｋにおいて下方に導かれる空気Ａ３は、両屋根状となされたカバー７の上端で円滑に左右に分割され、カバー７の外縁を伝って通孔Ｋ１から外気に排出される。ここで通孔Ｋ１とカバー７が隣接されていることで、カバー７を通じて取込口５から緩衝室４に流入する空気Ａ１に排出口６から排出された空気Ａ３の内、僅かな空気Ａ３１が混ぜられる。
【００１８】
カバー７がかかる構造となされていることで、排出口６から排出された空気Ａ３はカバー７によりその流れが乱されることなく通孔Ｋ１より排出されることで、円滑な空気Ａ３の排出及び取込口５への空気の流入が可能となると共に、カバー７付近で空気Ａ３が乱流となることが少なく、空気Ａ３の気流の乱れによる流入する空気Ａ１へ混ざる僅かな空気Ａ３１の量のばらつきを抑え、カバー７の形状による放熱効率の設定が容易なものとなる。
【００１９】
かような放熱構造を有する電気装置収納箱は、とりわけ道路側縁に間隔をおいて設置され、災害時等において可搬局が接続されるコンセントを有する光情報コンセントの収納箱に好適に用いることができる。かかる光情報コンセントの収納箱は屋外に設置されるものであり、また都市部などにおいては周囲の景観と調和させるために暗色系の色調となされることがあり、効率よく放熱を行う必要があったり、急激な温度変化が起こりうるものであるから、本発明に係わる放熱構造を適用する利点は大きなものとなり得る。
【００２０】
【発明の効果】
本発明によれば、本体と外気とは外壁により仕切られ、また緩衝室が設けられていることで、簡便な構造により大量の空気を取り込み且つ排出して放熱効率を高めることができる。また取り込まれる空気と排出される空気とを僅かに混ぜることで、外気温が急激に変化しても取り込まれる空気温が急激に変化することがなく、結露等の弊害が生じるのを防止できる。
【図面の簡単な説明】
【図１】本発明が適用される電気装置収納箱体の一例を示す説明図である。
【図２】本発明に係わる実施の一形態を示す断面図である。
【図３】本発明に係わる他の実施形態を示す断面図である。
【図４】本発明に係わる更に他の実施形態を示す断面図である。
【符号の説明】
１    本体
２    電気装置
３    外壁
３１  放熱フィン
４    緩衝室
５    取込口
６    排出口
７    カバー
１０  電気装置収納箱体
Ａ１、Ａ２、Ａ３  空気
Ｆ    ファン
【図１】
2004253443.tif 000003
【図２】
2004253443.tif 000004
【図３】
2004253443.tif 000005
【図４】
2004253443.tif 000006